(57)【要約】【課題】大量の用紙を収容して昇降させる大容量給紙装置において、安価な昇降用ワイヤを用いながら精度と耐久性を確保し、安定した給紙性能を達成する。【解決手段】用紙を積載して昇降可能に支持された用紙積載台と、前記用紙積載台を昇降駆動する駆動手段と、前記駆動手段によって巻き取られ、前記用紙積載台を上昇させる昇降用ワイヤと、を備えた給紙装置において、前記用紙積載台に動滑車を装着し、該動滑車に前記昇降用ワイヤを巻回して張設し、該昇降用ワイヤを前記駆動手段により巻き上げ、前記用紙積載台を昇降させる。【選択図】        図３
2005035699.tif 000002
【特許請求の範囲】
【請求項１】
用紙を積載して昇降可能に支持された用紙積載台と、前記用紙積載台を昇降駆動する駆動手段と、前記駆動手段によって巻き取られ、前記用紙積載台を上昇させる昇降用ワイヤと、を備えた給紙装置において、
前記用紙積載台に動滑車を装着し、
該動滑車に前記昇降用ワイヤを巻回して張設し、
該昇降用ワイヤを前記駆動手段により巻き上げ、前記用紙積載台を昇降させることを特徴とする給紙装置。
【請求項２】
前記動滑車の回転軸上に前記駆動手段の回転軸を巻回する補助ワイヤを張設し、前記駆動手段により前記動滑車を支持する前記用紙積載台を下降する方向に駆動することを特徴とする請求項１に記載の給紙装置。
【発明の詳細な説明】
【０００１】
【発明の属する技術分野】
本発明は、電子写真複写機、プリンタ、ファクシミリ、及びこれらの機能を有する複合機等の画像形成装置に装着され、これらの画像形成装置に画像形成用の用紙を供給する給紙装置に関するものである。
【０００２】
【従来の技術】
従来より、画像形成装置において、給紙カセット等の用紙収納部に収容された用紙を給紙手段により最上層から順次１枚ずつ送り出して給送する本体内蔵型の給紙装置が設けてある。また、画像形成装置外に大量の用紙を収容可能な大容量給紙装置を接続した外装型の給紙装置も使用されている。
【０００３】
これらの給紙装置では、高速、大量処理が可能な水平昇降方式の用紙積載台昇降機構が採用されている。この水平昇降方式の用紙積載台昇降機構においては、用紙を積載収容する用紙積載台を昇降させるための駆動力伝達機構に、昇降用ワイヤが用いられている。
【０００４】
特許文献１に記載された給紙装置は、複数のプーリに巻回された昇降用ワイヤにステー部材を保持し、このステー部材に弾性部材を介して用紙積載台を取り付け、この弾性部材にストッパを設け、用紙積載台上への用紙の満載時には、その重量により弾性部材が圧縮されて用紙積載台をストッパ位置まで下げ、一方、用紙積載台上の用紙の積載量が少なくなると、弾性部材の弾性力により用紙積載台をステー部材から持ち上げるようにしたものである。
【０００５】
【特許文献１】
特開平５−３３８２０号公報
【０００６】
【発明が解決しようとする課題】
昇降用ワイヤによる昇降機構は、一端が用紙積載台とともに昇降作動する部分の四隅の係止部にそれぞれ取り付けられた４本の昇降用ワイヤの他端を、駆動手段に接続して回転する回転軸上のプーリなどで巻き取る事によって、用紙積載台を持ち上げる。
【０００７】
大容量給紙装置において、用紙積載台上に積載される用紙枚数が大量の場合には、最大収容可能な用紙の質量が大きくなるため、昇降用ワイヤに高い張力がかかっても、昇降用ワイヤが破損または延伸しないように、丈夫な昇降用ワイヤを使用しなければならなかった。また、昇降用ワイヤの長さのばらつきが用紙積載台の水平度に影響しやすいから、長さが一定でばらつきの少なく、経年変化の少ない高精度の昇降用ワイヤを使用する必要があった。これらの理由により、昇降用ワイヤは高耐久力かつ高精度なものが求められ、製造コスト高となっていた。
【０００８】
【課題を解決するための手段】
本発明は、従来技術における前記のような問題を解決する事を目的とする。
【０００９】
即ち、昇降用ワイヤに掛かる張力を従来方式の半分にして、昇降用ワイヤの耐久性と精度を向上させる。大容量給紙装置においても、安価な昇降用ワイヤを用いながら耐久性と精度を確保する事を目的とする。
【００１０】
前記の本発明の目的は、下記の発明により達成される。
（１）  用紙を積載して昇降可能に支持された用紙積載台と、前記用紙積載台を昇降駆動する駆動手段と、前記駆動手段によって巻き取られ、前記用紙積載台を上昇させる昇降用ワイヤと、を備えた給紙装置において、前記用紙積載台に動滑車を装着し、該動滑車に前記昇降用ワイヤを巻回して張設し、該昇降用ワイヤを前記駆動手段により巻き上げ、前記用紙積載台を昇降させることを特徴とする給紙装置。
【００１１】
（２）  前記動滑車の回転軸上に前記駆動手段の回転軸を巻回する補助ワイヤを張設し、前記駆動手段により前記動滑車を支持する前記用紙積載台を下降する方向に駆動することを特徴とする前記（１）に記載の給紙装置。
【００１２】
【発明の実施の形態】
以下、本発明の実施の形態を説明する。なお、本欄の記載は請求項の技術的範囲や用語の意義を限定するものではない。
【００１３】
［画像形成装置］
図１は、本発明に係る給紙装置を備えた画像形成装置及び大容量給紙装置の構成図である。
【００１４】
画像形成装置Ａは、タンデム型カラー画像形成装置と称せられるもので、複数組の画像形成手段１０Ｙ，１０Ｍ，１０Ｃ，１０Ｋと、ベルト状の中間転写体６と給紙装置２０及び後述する定着装置３０とからなる。
【００１５】
画像形成装置Ａの上部には、画像読取装置Ｂが設置されている。原稿台上に載置された原稿は画像読取装置Ｂの原稿画像走査露光装置の光学系により画像が走査露光され、ラインイメージセンサに読み込まれる。ラインイメージセンサにより光電変換されたアナログ信号は、画像処理部において、アナログ処理、Ａ／Ｄ変換、シェーディング補正、画像圧縮処理等を行った後、露光手段３Ｙ，３Ｍ，３Ｃ，３Ｋに入力される。
【００１６】
イエロー（Ｙ）色の画像を形成する画像形成手段１０Ｙは、像担持体としての感光体ドラム１Ｙの周囲に配置された帯電手段２Ｙ、露光手段３Ｙ、現像装置４Ｙ及びクリーニング手段５Ｙを有する。マゼンタ（Ｍ）色の画像を形成する画像形成手段１０Ｍは、像担持体としての感光体ドラム１Ｍ、帯電手段２Ｍ、露光手段３Ｍ、現像装置４Ｍ及びクリーニング手段５Ｍを有する。シアン（Ｃ）色の画像を形成する画像形成手段１０Ｃは、像担持体としての感光体ドラム１Ｃ、帯電手段２Ｃ、露光手段３Ｃ、現像装置４Ｃ及びクリーニング手段５Ｃを有する。黒（Ｋ）色の画像を形成する画像形成手段１０Ｋは、像担持体としての感光体ドラム１Ｋ、帯電手段２Ｋ、露光手段３Ｋ、現像装置４Ｋ及びクリーニング手段５Ｋを有する。帯電手段２Ｙと露光手段３Ｙ、帯電手段２Ｍと露光手段３Ｍ、帯電手段２Ｃと露光手段３Ｃ及び帯電手段２Ｋと露光手段３Ｋとは、潜像形成手段を構成する。
【００１７】
４Ｙ，４Ｍ，４Ｃ，４Ｋは、イエロー（Ｙ）、マゼンタ（Ｍ）、シアン（Ｃ）及び黒（Ｋ）の小粒径トナーとキャリアからなる二成分現像剤を内包する現像装置である。
【００１８】
中間転写体６は、複数のローラにより巻回され、回動可能に支持されている。
画像形成手段１０Ｙ，１０Ｍ，１０Ｃ，１０Ｋより形成された各色の画像は、回動する中間転写体６上に一次転写手段７Ｙ，７Ｍ，７Ｃ，７Ｋにより逐次転写されて（一次転写）、合成されたカラー画像が形成される。
【００１９】
給紙装置２０の用紙収納部（給紙カセット）２１Ａ内に収容された用紙Ｓは、給紙手段（第１給紙部）２２Ａにより給紙され、給紙ローラ２３，２４，２５，２６、レジストローラ（第２給紙部）２７等を経て、二次転写手段（転写ローラ）９に搬送され、用紙Ｓ上にカラー画像が転写される（二次転写）。
【００２０】
なお、画像形成装置Ａの下部に鉛直方向に縦列配置された３段の用紙収納部２１Ａは、ほぼ同一の構成をなすから、同符号を付した。また、３段の給紙手段２２Ａもは、ほぼ同一の構成をなすから、同符号を付している。用紙収納部２１Ａ、給紙手段２２Ａを含めて給紙装置２０と称す。
【００２１】
カラー画像が転写された用紙Ｓは、定着装置３０において用紙Ｓが挟持され、熱と圧力とを加えることにより用紙Ｓ上のカラートナー像（或いはトナー像）が定着されて用紙Ｓ上に固定され、排紙ローラ２８に挟持されて機外の排紙トレイ２９上に載置される。
【００２２】
一方、二次転写手段９により用紙Ｓにカラー画像を転写した後、用紙Ｓを曲率分離した中間転写体６は、クリーニング手段８により残留トナーが除去される。
【００２３】
定着処理された用紙Ｓを反転排紙する場合には用紙Ｓは定着装置３０と排紙ローラ２８の中間に配置された分岐板２８Ａの図示右側の搬送路を通過し、下方の搬送路ｒ１に搬送された後、逆転搬送されて分岐板２８Ａの図示左側の搬送路ｒ２を通過し、排紙ローラ２８により装置外に排出される。
【００２４】
用紙Ｓの両面に複写する場合には、用紙Ｓの第１面に形成した画像を定着処理した後、用紙Ｓを搬送路ｒ１、さらに搬送路ｒ３に導入した後、逆転搬送し、搬送路ｒ４に搬送した後、上方に迂回し給紙ローラ２６により搬送する。用紙Ｓは画像形成手段１０Ｙ，１０Ｍ，１０Ｃ，１０Ｋにおいて第２面に各色の画像が両面に形成され、定着装置３０により加熱定着処理され、排紙ローラ２８によって装置外に排出される。
【００２５】
画像形成装置Ａには、手差し給紙装置Ｃが装着されている。手差し給紙装置Ｃの用紙収納部（手差し給紙トレイ）２１Ｂに収容された用紙Ｓは、給紙手段２２Ｂにより給送され、給紙ローラ２５，２６、レジストローラ２７を経て二次転写手段９に送り込まれる。
【００２６】
画像形成装置Ａの図示右側面側には、大容量給紙装置ＬＴが連結可能である。大容量給紙装置ＬＴの用紙収納部５０に収容された用紙Ｓは、給紙手段（第１給紙部）４０により給送され、画像形成装置Ａに導入され、給紙ローラ２４，２５，２６、レジストローラ２７を経て二次転写手段９に送り込まれる。
【００２７】
なお、画像形成装置Ａの説明においては、カラー画像形成にて説明したが、モノクロ画像を形成する場合も本発明に含まれるものである。
【００２８】
［給紙装置の一実施形態］
以下、画像形成装置Ａの給紙装置２０、手差し給紙装置Ｃ、大容量給紙装置ＬＴの各用紙積載台は、鉛直方向に水平移動する水平昇降方式の用紙積載台昇降機構を備えている。
【００２９】
以下、大容量給紙装置ＬＴを代表して説明する。
図２は用紙積載台が上限位置近傍に上昇した状態の大容量給紙装置ＬＴの断面図、図３は用紙収納部の斜視図である。
大容量給紙装置ＬＴ
〈昇降用ワイヤの配置〉
一端が係止部５３Ｆ２に係止された昇降用ワイヤ５２Ｆ２は用紙積載台５１の前面側で用紙搬送上流側に取り付けられた動滑車５４Ｆ２を巻回し、給紙装置本体に支持されたプーリ５５Ｆ２を巻回し、プーリ５６Ｆ１と同軸上のプーリ５６Ｆ２を巻回し、更に、昇降駆動軸５７の一方の端部に配置されたプーリ５７Ｆに巻き付けられ係止されている。
【００３０】
用紙積載台５１は４本の昇降用ワイヤ５２Ｆ１，５２Ｆ２，５２Ｒ１，５２Ｒ２によって吊り上げられる。昇降用ワイヤ５２Ｆ１，５２Ｆ２は用紙積載台５１の前面側の用紙搬送方向先端側と後端側に配置されている。昇降用ワイヤ５２Ｒ１，５２Ｒ２は用紙積載台５１の背面側の用紙搬送方向先端側と後端側に配置されている。
【００３１】
昇降用ワイヤ５２Ｆ１，５２Ｆ２，５２Ｒ１，５２Ｒ２の一方の端部は、給紙装置本体の上部の係止部５３Ｆ１，５３Ｆ２，５３Ｒ１，５３Ｒ２にそれぞれ係止され、他方の端部は昇降駆動軸５７に固定されている。
【００３２】
給紙装置本体に支持された昇降駆動軸５７は、モータＭと駆動伝達系Ｇとから成る駆動手段により駆動される。モータＭの正逆回転により、歯車列から成る駆動伝達系Ｇを介して、昇降駆動軸５７が正逆回転される。
【００３３】
一端が係止部５３Ｆ１に係止された昇降用ワイヤ５２Ｆ１は、用紙積載台５１の前面側で用紙搬送側に取り付けられた動滑車５４Ｆ１を巻回し、給紙装置本体に支持されたプーリ５５Ｆ１とプーリ５６Ｆ１を巻回し、更に、昇降駆動軸５７の一方の端部に配置されたプーリ５７Ｆに巻き付けられ係止されている。
【００３４】
一端が係止部５３Ｆ２に係止された昇降用ワイヤ５２Ｆ２は用紙積載台５１の前面側で用紙搬送上流側に取り付けられた動滑車５４Ｆ２を巻回し、給紙装置本体に支持されたプーリ５５Ｆ２を巻回し、プーリ５６Ｆ１と同軸上のプーリ５６Ｆ２を巻回し、更に、昇降駆動軸５７の一方の端部に配置されたプーリ５７Ｆに巻き付けられ係止されている。
【００３５】
一端が係止部５３Ｒ１に係止された昇降用ワイヤ５２Ｒ１は、用紙積載台５１の背面側で用紙搬送側に取り付けられた動滑車５４Ｒ１を巻回し、給紙装置本体に支持されたプーリ５５Ｒ１とプーリ５６Ｒ１を巻回し、更に、昇降駆動軸５７の他方の端部に配置されたプーリ５７Ｒに巻き付けられ係止されている。
【００３６】
一端が係止部５３Ｒ２に係止された昇降用ワイヤ５２Ｒ２は、用紙積載台５１の背面側で用紙搬送上流側に取り付けられた動滑車５４Ｒ２を巻回し、給紙装置本体に支持されたプーリ５５Ｒ２を巻回し、プーリ５６Ｒ１と同軸上のプーリ５６Ｒ２を巻回し、更に、昇降駆動軸５７の他方の端部に配置されたプーリ５７Ｒに巻き付けられ係止されている。
【００３７】
〈補助ワイヤの配置〉
補助ワイヤ６２Ｆは用紙積載台５１の前面側の用紙搬送方向上流側に配置されている。補助ワイヤ６２Ｒは用紙積載台５１の背面側の用紙搬送方向上流側に配置されている。
【００３８】
用紙積載台５１の前面側に配置された補助ワイヤ６２Ｆの一方の端部は、バネ６１Ｆを介して給紙装置本体の図示しない係止部に係止されている。補助ワイヤ６２Ｆの他方の端部は昇降駆動軸５７のプーリ５７Ｆに固定されている。
【００３９】
バネ６１Ｆに接続された補助ワイヤ６２Ｆは、用紙積載台５１の前面側に配置された動滑車５４Ｆ２と同軸上の動滑車６３Ｆを巻回し、給紙装置本体に支持されたプーリ６４Ｆを巻回し、更に、昇降駆動軸５７の一方の端部に配置されたプーリ５７Ｆに巻き付けられている。
【００４０】
補助ワイヤ６２Ｆは、動滑車６３Ｆを押圧して用紙積載台５１を下方に付勢し、浮き上がりを防止する。
【００４１】
用紙積載台５１の背面側に配置された補助ワイヤ６２Ｒの一方の端部は、バネ６１Ｒを介して給紙装置本体の図示しない係止部に係止されている。補助ワイヤ６２Ｒの他方の端部は昇降駆動軸５７のプーリ５７Ｒに固定されている。
【００４２】
バネ６１Ｒに接続された補助ワイヤ６２Ｒは、用紙積載台５１の背面側に配置された動滑車５４Ｒ１と同軸上の動滑車６３Ｒを巻回し、給紙装置本体に支持されたプーリ６４Ｒを巻回し、更に、昇降駆動軸５７の一方の端部に配置されたプーリ５７Ｒに巻き付けられている。
【００４３】
補助ワイヤ６２Ｒは、動滑車６３Ｒを押圧して用紙積載台５１を下方に付勢し、浮き上がりを防止する。
【００４４】
〈用紙積載台の昇降駆動〉
モータＭの駆動によって、歯車列等から成る駆動伝達系Ｇを介して昇降駆動軸５７が回転される。昇降駆動軸５７の回転により、昇降駆動軸５７に固定されたプーリ５７Ｆは昇降用ワイヤ５２Ｆ１を巻き取り回動させる。
【００４５】
一端が係止部５３Ｆ１に固定されて回動する昇降用ワイヤ５２Ｆ１は、プーリ５６Ｆ１，５５Ｆ１を巻回して、中間の動滑車５４Ｆ１を上昇させる。動滑車５４Ｆ１の移動量は昇降用ワイヤ５２Ｆ１の移動量の１／２である。動滑車５４Ｆ１を支持する用紙積載台５１は、昇降用ワイヤ５２Ｆ１の移動量の１／２の移動量で上昇する。
【００４６】
同様にして、昇降駆動軸５７に固定されたプーリ５７Ｒは昇降用ワイヤ５２Ｒ１を巻き取り回動させ、プーリ５６Ｒ１，５５Ｒ１を巻回して、中間の動滑車５４Ｒ１を上昇させ、用紙積載台５１を昇降用ワイヤ５２Ｒ１の移動量の１／２の移動量で上昇させる。
【００４７】
また、昇降駆動軸５７に固定されたプーリ５７Ｆは昇降用ワイヤ５２Ｆ２を巻き取り回動させ、プーリ５６Ｆ２，５５Ｆ２を巻回して、中間の動滑車５４Ｆ２を上昇させ、用紙積載台５１を昇降用ワイヤ５２Ｆ２の移動量の１／２の移動量で上昇させる。
【００４８】
更に、昇降駆動軸５７に固定されたプーリ５７Ｒは昇降用ワイヤ５２Ｒ２を巻き取り回動させ、プーリ５６Ｒ２，５５Ｒ２を巻回して、中間の動滑車５４Ｒ２を上昇させ、用紙積載台５１を昇降用ワイヤ５２Ｒ２の移動量の１／２の移動量で上昇させる。
【００４９】
用紙積載台５１は、ガイド溝部５８Ａ，５８Ｂに案内されて、鉛直方向に移動可能である。
【００５０】
図４は、用紙積載台５１が下限位置近傍に下降した状態の大容量給紙装置ＬＴの断面図である。
【００５１】
このようにして、４本の昇降用ワイヤ５２Ｆ１，５２Ｒ１，５２Ｆ２，５２Ｒ２と、４個の動滑車５４Ｆ１，５４Ｒ１，５４Ｆ２，５４Ｒ２とによって、用紙積載台５１は水平に支持されて昇降される。
【００５２】
４本の昇降用ワイヤ５２Ｆ１，５２Ｒ１，５２Ｆ２，５２Ｒ２の移動量は、４個の動滑車５４Ｆ１，５４Ｒ１，５４Ｆ２，５４Ｒ２の昇降移動量の２倍となるから、昇降用ワイヤ５２Ｆ１，５２Ｒ１，５２Ｆ２，５２Ｒ２に付勢される張力は、動滑車を用いない従来の昇降用ワイヤの張力の１／２となる。
【００５３】
これにより、安価な昇降用ワイヤを用いながら精度と耐久性を確保する事が出来る。また、ワイヤの長さのバラツキが用紙積載台の水平度に与える影響を半分にする事が出来る。特に、大容量給紙装置においては、大量の用紙を収容した用紙積載台の重量が大きく、用紙積載台を昇降させるためには、昇降用ワイヤに大きな負荷が掛かるから、動滑車の配置により昇降用ワイヤの張力を１／２にする事が有効である。
【００５４】
〈補助ワイヤの駆動〉
図３に示すように、用紙積載台５１を支持する動滑車５４Ｆ２の同軸上には動滑車６３Ｆが固定されている。動滑車６３Ｆを巻回する補助ワイヤ６２Ｆの一端は、バネ６１Ｆを介して装置本体の図示しない係止部に係止されている。補助ワイヤ６２Ｆの他端は、昇降駆動軸５７のプーリ５７Ｆに巻回して係止されている。
【００５５】
補助ワイヤ６２Ｆは動滑車６３Ｆを巻回し、給紙装置本体に支持されたプーリ６４Ｆ、６５Ｆを巻回し、更に、昇降駆動軸５７の一方の端部に配置されたプーリ５７Ｆに巻き付けられ係止されている。
【００５６】
用紙積載台５１を支持する動滑車５４Ｒ１の同軸上には動滑車６３Ｒが固定されている。動滑車６３Ｒを巻回する補助ワイヤ６２Ｒの一端は、バネ６１Ｒを介して装置本体の図示しない係止部に係止されている。補助ワイヤ６２Ｒの他端は、昇降駆動軸５７のプーリ５７Ｒに巻回して係止されている。
【００５７】
補助ワイヤ６２Ｒは動滑車６３Ｒを巻回し、給紙装置本体に支持されたプーリ６４Ｒを巻回し、更に、昇降駆動軸５７の一方の端部に配置されたプーリ５７Ｒに巻き付けられ係止されている。
【００５８】
このようにして、２本の補助ワイヤ６２Ｆ，６２Ｒと、２個の動滑車６３Ｆ，６３Ｒとによって、用紙積載台５１は下降する方向に駆動される。
【００５９】
従って、用紙積載台５１は、動滑車６３Ｆを巻回する補助ワイヤ６２Ｆと、動滑車６３Ｒを巻回する補助ワイヤ６２Ｒとによって下降する方向に付勢されているから、用紙積載台５１が外力によって跳ね上げられる事故発生が防止される。
【００６０】
用紙積載台５１の上昇時には、補助ワイヤ６２Ｆ，６２Ｒの付勢力に抗して、４本の昇降用ワイヤ５２Ｆ１，５２Ｒ１，５２Ｆ２，５２Ｒ２によって引き上げられる。
【００６１】
なお、昇降用ワイヤは４本に限定されるものではない。また、補助ワイヤも２本に限定されるものではない。
【００６２】
また、本発明の実施の形態では、複写機本体に接続した大容量給紙装置ＬＴを示したが、画像形成装置本体内に配置された水平昇降型の給紙装置にも適用可能である。
【００６３】
また、プリンタ、軽印刷機、多機能を有する複合機等の画像形成装置と接続する給紙装置にも、本発明の給紙装置は適用可能である。
【００６４】
【発明の効果】
以上詳述したように、本発明の給紙装置により、以下の優れた効果が得られる。
【００６５】
（１）  昇降用ワイヤの端部を用紙積載台とともに昇降動作する部分には取り付けず本体に固定し、用紙積載台とともに昇降動作する部分には、動滑車を介して懸架する。このように動滑車を用いて昇降用ワイヤを張設する事により、昇降用ワイヤに掛かる張力を従来方式の半分にする。また、ワイヤの長さのバラツキが用紙積載台の水平度に与える影響を半分にする。特に、大量の用紙を収容して昇降させる大容量給紙装置においては、安価な昇降用ワイヤを用いながら精度と耐久性を確保するのに有効である。
【００６６】
（２）  用紙積載台は、動滑車を巻回する補助ワイヤによって下降する方向に付勢されているから、用紙積載台が外力によって跳ね上げられて生じる事故が防止される。
【図面の簡単な説明】
【図１】本発明に係る給紙装置を備えた画像形成装置及び大容量給紙装置の構成図。
【図２】用紙積載台が上限位置近傍に上昇した状態の大容量給紙装置の断面図。
【図３】用紙収納部の斜視図。
【図４】用紙積載台が下限位置近傍に下降した状態の大容量給紙装置の断面図。
【符号の説明】
４０  給紙手段（第１給紙部）
５０  用紙収納部
５１  用紙積載台
５２Ｆ１，５２Ｒ１，５２Ｆ２，５２Ｒ２  昇降用ワイヤ
５３Ｆ１，５３Ｒ１，５３Ｆ２，５３Ｒ２  係止部
５４Ｆ１，５４Ｆ２，５４Ｒ１，５４Ｒ２  動滑車
５７  昇降駆動軸
５７Ｆ，５７Ｒ  プーリ
５８Ａ，５８Ｂ  ガイド溝部
６１Ｆ，６１Ｒ  バネ
６２Ｆ，６２Ｒ  補助ワイヤ
６３Ｆ，６３Ｒ  動滑車
Ａ  画像形成装置
Ｇ  駆動伝達系
ＬＴ  大容量給紙装置
Ｍ  モータ
Ｓ  用紙
【図１】
2005035699.tif 000003
【図２】
2005035699.tif 000004
【図３】
2005035699.tif 000005
【図４】
2005035699.tif 000006